(57)【要約】      （修正有）【課題】ゴミかごの洗浄機能を持ち、台所に適した生ゴミ洗浄装置を提供する。【解決手段】シンク底１の排水口２０に設けられ生ゴミを捕集するゴミかご６と、このゴミかご６に向けて開口する噴射口４０，４１と、この噴射口４０，４１に水道水を供給する水道水供給通路４２と、この水道水供給通路４２を開閉する洗浄バルブ４３とを備え、噴射口４０，４１から噴射される水道水によってゴミかご６を洗浄する構成とする。噴射口４０，４１はゴミかご６とケーシング５の内壁面５ａとの間隙３９に臨んで開口することによりゴミかご６の外側を、またゴミかご６の開口部６ａの真上に配置することによりゴミかご６の内側を洗浄する。【選択図】    図１
2004217384.tif 000002
【特許請求の範囲】
【請求項１】
シンク底の排水口に設けられ生ゴミを捕集するゴミかごと、このゴミかごに向けて開口する噴射口と、この噴射口に水道水を供給する水道水供給通路と、この水道水供給通路を開閉する洗浄バルブとを備え、噴射口から噴射される水道水によってゴミかごを洗浄する構成としたことを特徴とする生ゴミ洗浄装置。
【請求項２】
前記ゴミかごを収めるケーシングの内壁面とゴミかごの間に形成される洗浄間隙に前記噴射口を臨んで開口させ、この噴射口から噴射される水道水によってゴミかごを外側から洗浄する構成としたことを特徴とする請求項１に記載の生ゴミ洗浄装置。
【請求項３】
前記ゴミかごを収めるケーシングの開口端に取り付けられる前記噴射口をゴミかごの内側に向けて開口させ、この噴射口から噴射される水道水によってゴミかごを内側から洗浄する構成としたことを特徴とする請求項１または２に記載の生ゴミ洗浄装置。
【発明の詳細な説明】
【０００１】
【発明の属する技術分野】
本発明は、台所のキッチン（流し台）等にてゴミかごに付着した生ゴミを水道圧を利用して洗浄する生ゴミ洗浄装置の改良に関するものである。
【０００２】
【従来の技術】
従来、例えば図３に示すように、シンク底の排水口に生ゴミを溜めるゴミかご５０が設けられ、水道管５１の水道圧によってプッシャ５２がゴミかご５０内を移動して生ゴミを減容する生ゴミ減容装置がある。この生ゴミ洗浄装置はプッシャ５２を駆動する水圧シリンダ５４を備え、この水圧シリンダ５４に導かれる水圧は方向切換弁５３を介して切換えられる。
【０００３】
【特許文献１】
特開平７−１９５１９８号公報
【０００４】
【発明が解決しようとする課題】
しかしながら、このような従来装置にあっては、ゴミかご５０から減容し、水切りをされた生ゴミを取り出した後にゴミかご５０等に残留物や汚水が付着しやすい。しかし、そのまま放置されると、ゴミかご５０にぬめり等の汚れや臭いが発生する原因になるという問題点があった。
【０００５】
本発明は上記の問題点に鑑みてなされたものであり、ゴミかごの洗浄機能を持ち、台所に適した生ゴミ洗浄装置を提供することを目的とする。
【０００６】
【課題を解決するための手段】
第１の発明は、シンク底の排水口に設けられ生ゴミを捕集するゴミかごと、このゴミかごに向けて開口する噴射口と、この噴射口に水道水を供給する水道水供給通路と、この水道水供給通路を開閉する洗浄バルブとを備え、噴射口から噴射される水道水によってゴミかごを洗浄する構成としたことを特徴とするものとした。
【０００７】
第２の発明は、第１の発明において、ゴミかごを収めるケーシングの内壁面とゴミかごの間に形成される洗浄間隙に噴射口を臨んで開口させ、この噴射口から噴射される水道水によってゴミかごを外側から洗浄する構成としたことを特徴とするものとした。
【０００８】
第３の発明は、第１または第２の発明において、ゴミかごを収めるケーシングの開口端に取り付けられる噴射口をゴミかごの内側に向けて開口させ、この噴射口から噴射される水道水によってゴミかごを内側から洗浄する構成としたことを特徴とするものとした。
【０００９】
【発明の作用および効果】
第１の発明によると、例えばゴミかごから生ゴミを取り出した後に、洗浄バルブを開く操作をして水道水供給通路を開通させることにより、水道水が噴射口からゴミかごに向けて噴射される。こうして噴射される水道水によってゴミかごに付着した残留物や汚水が洗い落とされ、ゴミかごにぬめり等の汚れや臭いが発生することを防止できる。
【００１０】
第２の発明によると、噴射口から洗浄間隙に噴射される水道水は、ゴミかごの外側に当たることにより、ゴミかごの外側に付着した残留物や汚水を洗い落とすことができるのはもちろんのこと、外側から噴射することによってゴミかごの内側に付着した残留物も有効に洗い落とすことができる。さらに、各噴射口から噴射される洗浄をケーシングの内壁面にも当てることにより、ケーシングの内壁面に付着した残留物や汚水を有効に洗い落とすことができる。
【００１１】
第３の発明によると、噴射口をゴミかごの開口部近傍に配置してゴミかごの内側に向けて開口させることにより、噴射口から噴射される水道水をゴミかごの内側に当てることが可能となり、ケーシングの内側に付着した残留物や汚水を有効に洗い落とすことができる。
【００１２】
【発明の実施の形態】
以下、本発明の実施の形態を添付図面に基づいて説明する。
【００１３】
図１に示すように、台所の流し台のシンク底１の排水口２０にはゴミかご６が着脱可能に設けられ、このゴミかご６によって生ゴミが捕集され、ゴミかご６を通過した排水が出口２１から排水管９へと排出される。
【００１４】
生ゴミ減容装置２は、上記ゴミかご６と、水道１１から導かれる圧力によってこのゴミかご６内に入り込んで生ゴミを減容する減容アクチュエータ１４とを備える。
【００１５】
この減容アクチュエータ１４は、水道１１から水道栓７を介して導かれる水道圧によって移動しゴミかご６内の生ゴミを減容する減容ピストン４とを備える。これにより、生ゴミ減容装置２は生ゴミを減容し、水切りをするため、減容される生ゴミから汚水や生ゴミが飛散することが防止され、排水口２０に蓋をする必要がない。
【００１６】
ゴミかご６は網目状の水抜き穴を持つ籠状に形成され、図２に示す取っ手６ｄを持ってシンク底１の排水口２０に着脱可能にセットされる。ゴミかご６は、その上部に生ゴミが投入される開口部６ａと、その側部に減容ピストン４を出入りさせる開口部６ｂと、その底部に減容ピストン４に沿って円筒状に湾曲した筒部６ｃとを有する。生ゴミが減容された後、取っ手を持ってゴミかご６をシンク底１の排水口２０から取り出すことにより、生ゴミがゴミかご６の中に入れられたまま生ゴミ減容装置２から容易に取り出される。
【００１７】
シンク底１の排水口２０の下側には生ゴミ減容装置２のケーシング５が固定される。このケーシング５には出口２１の下方に排水溜め部２２が形成される。排水管９はこの排水溜め部２２に突出して開口している。排水管９の開口端９ａを洗浄間隙を持って覆う有底円筒状のキャップ８が着脱可能に設けられる。このキャップ８の筒部８ａが排水管９の開口端を覆い、排水溜め部２２に溜まった水によって排水管９を遮断し、排水管９の臭いが外部に洩れないようになっている。
【００１８】
キャップ８は、出口２１の直下方に配置され、かつ出口２１の開口径より小さい外径を持つ。これにより、ゴミかご６が取り外された状態で、キャップ８を出口２１から出し入れすることができる。
【００１９】
そして本発明の要旨とするところであるが、ゴミかご６を洗浄する生ゴミ洗浄装置３として、ゴミかご６に向けて開口する複数の噴射口４０，４１と、これらの噴射口４０，４１に水道１１から導かれる水を供給する水道水供給通路４２と、この水道水供給通路４２を開閉する洗浄バルブ４３とを備え、ゴミかご６を洗浄するように構成される。
【００２０】
生ゴミ洗浄装置３は、流し台のシンク底１に取付けられるフレーム３８を備え、このフレーム３８とゴミかご６が収められるケーシング５との間に洗浄プレート４５が介装される。洗浄プレート４５はケーシング５の開口端５ｂに取り付けられる。フレーム３８、洗浄プレート４５、ケーシング５は複数のボルト４６を介して締結される。なお、洗浄プレート４５とゴミかご６が収められるケーシング５は互いに一体に形成しても良い。
【００２１】
四角形の枠状をした洗浄プレート４５には、減容アクチュエータ１４の中心軸Ｏと平行な前後方向に延びる２本の通孔４７と、中心軸Ｏに直交する横方向に延びる２本の通孔４８と、一方の通孔４８に水道１１からの水道水を導く入口４９とがそれぞれ形成され、これら各通孔４７，４８及び入口４９によって水道水供給通路４２が構成される。なお、この水道水供給通路４２は洗浄プレート４５と別体で設けられるパイプ等によって形成しても良い。
【００２２】
ゴミかご６が収められるケーシング５の内壁面５ａとゴミかご６の間には洗浄間隙３９が形成される。洗浄プレート４５には前後方向に延びる各通孔４７から分岐する６つの噴射口４０が設けられる。各噴射口４０は洗浄間隙３９に臨んで開口し、各噴射口４０から噴射される水道水によってゴミかご６を外側から洗浄する構成とする。
【００２３】
洗浄プレート４５には横方向に延びる各通孔４８から分岐する４つの噴射口４１が設けられる。各噴射口４１はケーシング５とゴミかご６の開口部６ａの直上方に配置され、ゴミかご６の内側に向けて開口し、各噴射口４１から噴射される水道水によってゴミかご６を内側から洗浄する構成とする。
【００２４】
なお、各通孔に設けられる噴射口の個数は、前記６つあるいは４つに限定されることなく状況に応じていくつ設けても良い。
【００２５】
以上のように構成される本発明の実施の形態につき、次に作用を説明する。
【００２６】
生ゴミ減容装置２がゴミかご６内に溜まった生ゴミを減容し、水切りをされた生ゴミを取り出した後にゴミかご６を洗浄する場合、洗浄バルブ４３を開く操作をして水道水供給通路４２を開通させることにより、水道水が噴射口４０，４１からゴミかご６に向けて噴射される。この噴射口４０，４１から噴射される水道水によってゴミかご６に付着した残留物や汚水が洗い落とされ、ゴミかご６にぬめり等の汚れや臭いが発生することを防止できる。
【００２７】
噴射口４０から洗浄間隙３９に噴射される水道水がゴミかご６の外側に当たることにより、ゴミかご６に付着した残留物や汚水を有効に洗い落とすことができるはもちろんのこと、外側から噴射することによってゴミかご６の内側に付着した残留物も有効に洗い落とすことができる。さらに、噴射口４０から噴射される水道水がケーシング５の内壁面５ａにも当たることにより、ケーシング５の内壁面５ａに付着した残留物や汚水を有効に洗い落とすことができる。
【００２８】
また、噴射口４１をゴミかご６の開口部６ａの直上方に配置してゴミかご６の内側に向けて開口させることにより、噴射口４１から噴射される水道水をゴミかご６の内側に当てることが可能となり、ケーシング５の内側に付着した残留物や汚水を有効に洗い落とすことができる。
【００２９】
本発明は上記の実施の形態に限定されずに、生ゴミ減容装置を備えないキッチンのゴミかごを洗浄するシステムにも適用でき、その技術的な思想の範囲内において種々の変更がなしうることは明白である。
【図面の簡単な説明】
【図１】本発明の実施の形態を示す生ゴミ洗浄装置の断面図。
【図２】同じく生ゴミ洗浄装置の正面図。
【図３】従来例を示す生ゴミ洗浄装置の概略構成図。
【符号の説明】
１  シンク底
３  生ゴミ洗浄装置
４  減容ピストン
５  ケーシング
５ａ  ケーシング内壁面
６  ゴミかご
１４  減容アクチュエータ
３９  洗浄間隙
４０，４１  噴射口
４２  水道水供給通路
４３  洗浄バルブ
【図１】
2004217384.tif 000003
【図２】
2004217384.tif 000004
【図３】
2004217384.tif 000005